(57)【要約】【課題】ピンポイントゲートを使用して射出成形樹脂歯車（射出成形樹脂回転体）を成形する場合においても、ウェルドラインの発生を効果的に抑え、ウェブ内における強化繊維入り樹脂の配向性を全周に渡って揃え、樹脂の流れがリムに到達する前に、径方向の樹脂の流動速度を均一化して、ウェブの強度を高強度化すると共に、成形精度を高精度化する。【解決手段】ピンポイントゲート１３から射出された樹脂がキャビティ２内を径方向外方へ向かって流動する際に、樹脂流動速度調整溝１１の部分によって樹脂の流動速度が均一化され、この樹脂流動速度調整溝１１の部分を通過した樹脂が外周側周方向溝１２の部分を通過する際に更に流動速度の均一化が図られるため、外周側に歯８が形成されるリム７に到達する前のウェブ６内において樹脂の流動速度が均一化される。【選択図】        図６
2004358665.tif 000002
【特許請求の範囲】
【請求項１】
外周に歯が形成されるリムと、軸に嵌合される軸支持部と、これらリムと軸支持部を径方向に接続するウェブと、を備え、
前記ウェブの一方の側面側に対向するように配置されたピンポイントゲートから射出される強化繊維入りの樹脂で形成された射出成形樹脂歯車であって、
前記ウェブの一方の側面のうちで、前記ピンポイントゲートが配置される近傍の位置には、前記ピンポイントゲートから射出された前記強化繊維入りの樹脂の径方向への流れを絞って邪魔をし、前記ピンポイントゲートから射出された前記強化繊維入りの樹脂の流れの径方向への移動速度を前記ピンポイントゲートと前記リムの間で均一化する樹脂流動速度調整溝が形成され、
前記樹脂流動速度調整溝は、前記ピンポイントゲートから径方向に向かう位置に配置されて前記強化繊維入りの樹脂の流れを最も大きく絞る第１溝部と、この第１溝部から溝深さを漸減するように周方向に延びる一対の第２溝部と、からなっていることを特徴とする射出成形樹脂歯車。
【請求項２】
前記ピンポイントゲートが前記ウェブの周方向に沿って複数箇所に配置され、前記ピンポイントゲートのそれぞれに対応するように前記樹脂流動速度調整溝が形成され、隣り合うピンポイントゲートの少なくとも周方向中間位置において、前記樹脂流動速度調整溝が切り上がるように構成されたことを特徴とする請求項１記載の射出成形樹脂歯車。
【請求項３】
前記軸支持部と前記リムとの間の前記ウェブには、前記ピンポイントゲート、前記樹脂流動速度調整溝、環状溝の順で径方向内方から外方へ向かって形成され、
前記環状溝は、前記リムよりも径方向内方に離れて位置し、前記リムと同心円状に連続して形成されたことを特徴とする請求項２記載の射出成形樹脂歯車。
【請求項４】
前記ピンポイントゲートの径方向内方側の位置に、前記環状溝とは別の環状溝を形成し、前記ピンポイントゲートを前記樹脂流動速度調整溝と前記別の環状溝で径方向に挟むようにしたことを特徴とする請求項３に記載の射出成形樹脂歯車。
【請求項５】
径方向外方の筒状部と、軸に嵌合される軸支持部と、これら筒状部と軸支持部を径方向に接続する円板状部と、を備え、
前記円板状部の一方の側面側に対向するように配置されたピンポイントゲートから射出される強化繊維入りの樹脂で形成された射出成形樹脂回転体であって、
前記円板状部の一方の側面のうちで、前記ピンポイントゲートが配置される近傍の位置には、前記ピンポイントゲートから射出された前記強化繊維入りの樹脂の径方向への流れを絞って邪魔をし、前記ピンポイントゲートから射出された前記強化繊維入りの樹脂の流れの径方向への移動速度を前記ピンポイントゲートと前記リムの間で均一化する樹脂流動速度調整溝が形成され、
前記樹脂流動速度調整溝は、前記ピンポイントゲートから径方向に向かう位置に配置されて前記強化繊維位置の樹脂の流れを最も大きく絞る第１溝部と、この第１溝部から溝深さを漸減するように周方向に延びる一対の第２溝部と、からなっていることを特徴とする射出成形樹脂回転体。
【請求項６】
前記ピンポイントゲートが前記円板状部の周方向に沿って複数箇所に配置され、前記ピンポイントゲートのそれぞれに対応するように前記樹脂流動速度調整溝が形成され、隣り合うピンポイントゲートの少なくとも周方向中間位置において、前記樹脂流動速度調整溝が切り上がるように構成されたことを特徴とする請求項５記載の射出成形樹脂回転体。
【請求項７】
前記軸支持部と前記リムとの間の前記円板状部には、前記ピンポイントゲート、前記樹脂流動速度調整溝、環状溝の順で径方向内方から外方へ向かって形成され、
前記環状溝が前記リムと同心円状に一定の深さで連続して形成されたことを特徴とする請求項６記載の射出成形樹脂回転体。
【請求項８】
前記ピンポイントゲートの径方向内方側の位置に、前記環状溝とは別の環状溝を形成し、前記ピンポイントゲートを前記樹脂流動速度調整溝と前記別の環状溝で径方向に挟むようにしたことを特徴とする請求項７に記載の射出成形樹脂回転体。
【発明の詳細な説明】
【０００１】
【発明の属する技術分野】
この発明は、各種自動車部品，産業機械，精密機械等の動力伝達装置に使用される射出成形樹脂歯車、及びこの射出成形樹脂歯車、射出成形樹脂スプロケット、射出成形樹脂プーリ、射出成形樹脂ローラ等の射出成形樹脂回転体に関するものである。
【０００２】
【従来の技術】
近年、モータ等の駆動源から駆動力を受けて作動する自動車部品には、軽量化や作動音の静粛化等を目的とし、射出成形により形成された樹脂製歯車が多く使用されるようになっている。
【０００３】
図１７は、このような射出成形樹脂歯車５０の縦断面図である。また、図１８は、図１７の射出成形樹脂歯車５０を左側から見た図（左側面図）である。これら図１７及び図１８に示す射出成形樹脂歯車５０は、同一形状のキャビティ内に溶融樹脂を１箇所又は複数箇所（図１８においては３箇所）のピンポイントゲート５１から射出することにより成形されるようになっている。
【０００４】
しかし、図１８に示すように、３箇所のピンポイントゲート５１から樹脂をキャビティ内に射出した場合、各ピンポイントゲート５１から射出された樹脂は、矢印で示すように隣り合うピンポイントゲート５１，５１との間のほぼ中間部で合流し、ウェブ５２にウェルドライン５３が生じる。このウェルドライン５３が射出成形品（射出成形樹脂歯車５０）に発生すると、歯形精度に悪影響を及ぼすだけでなく、歯車の強度にも悪影響を及ぼす場合がある。とりわけ、射出する材料がガラス繊維や炭素繊維を配合した強化プラスチックの場合には、歯車強度が４０〜６０％も低下することが知られている。
【０００５】
そこで、図１９に示すように、ゲートをリング状ゲート５４にし、リング状ゲート５４から射出された樹脂がキャビティ内を内周端から径方向外方へ向かって放射状に流れるようにし、図１８に示すようなウェルドライン５３の発生を防止するようにした射出成形技術が開発された。そして、その射出成形技術が繊維強化プラスチック製の歯車の成形に多く採用されている。
【０００６】
しかしながら、リング状ゲート５４を使用して射出成形する場合は、射出成形後にゲート内に残留する樹脂材料がピンポイントゲート５１を使用して射出成形した場合よりも多くなり、ピンポイントゲート５１を使用して射出成形した場合よりも無駄になる樹脂材料（製品として使用されないで、製品から切り離される樹脂材料）が多くなるため、樹脂材料の歩留まり率が低下する。その結果、リング状ゲート５４で射出成形した製品（射出成形樹脂歯車５０）は、ピンポイントゲート５１で射出成形した製品（射出成形樹脂歯車５０）よりも製品価格が高騰し、特に、射出成形用の樹脂材料として高価な強化繊維入り樹脂を使用すると、ピンポイントゲート５１で射出成形した製品との価格差がより顕著になるという不具合があった。
【０００７】
しかも、リング状ゲート５４で射出成形した製品（射出成形樹脂歯車５０）は、リング状ゲート５４を切り離した後、リング状ゲート５４の切り離し痕を機械加工して削り落とす作業が必要になり、加工コストがピンポイントゲート５１で射出成形した製品（射出成形樹脂歯車５０）よりも嵩むという問題を有していた。尚、ピンポイントゲート５１を使用した射出成形樹脂歯車５０は、ピンポイントゲート５１の開口面積が小さく、射出成形後の離型時にピンポイントゲート５１が製品（射出成形樹脂歯車５０）から切断し易いため、ピンポイントゲート５１の切り離し痕が目立ちにくく、後加工が不要となるという利点を有している。
【０００８】
このような従来技術の不具合を解消するため、図２０に示すように、強化繊維入りの樹脂材料を複数のピンポイントゲート６０から射出して成形される歯車６１において、複数の肉盗み６２と径方向リブ６３を形成し、各径方向リブ６３，６３間で且つ一つ置きの位置にピンポイントゲート６０を配置して、このピンポイントゲート６０からキャビティ内に射出された溶融樹脂の流れを分流制御し、樹脂材料の配向性を平均化させ、形状・寸法精度の向上を図るようにした技術が開発された（特許文献１参照）。
【０００９】
また、図２１及び図２２に示すように、歯車７０の両面において、歯に直近する歯形部７１内側に、射出成形工程中に発生する充填時間差及び圧力差を減少させる高分子材料流動規制機構７２を形成する技術が開発された。この技術によれば、ピンポイントゲート７３から射出された樹脂材料は、その流れが高分子材料流動規制機構７２に到達すると、内圧が上昇し、圧力の低い未充填部に流動し、高分子材料流動規制機構７２の全周に渡って充填して、内圧が均一になった時点で歯外形に向かって流動するようになっている。尚、この高分子材料流動規制機構７２は、歯形部７１の内側に隣接して形成された溝であり、その溝深さが連続又は断続的に変化するようになっている。
【００１０】
【特許文献１】
特開平２−４４７０１号公報（第１頁，第１図乃至第４図参照）
【特許文献２】
特開平８−１３２５４２号公報（第２頁，図１乃至図２参照）
【００１１】
【発明が解決しようとする課題】
しかしながら、特許文献１及び特許文献２に開示された技術は、いずれも、図１８で例示したような、歯５５が形成されるリム５６と軸が嵌合される軸支持部５７とを接続するウェブ５２において、隣接するピンポイントゲート５１，５１から射出される樹脂の流れの合流部に生じるウェルドライン５３を十分に減少させることができず、近年市場から要求されている程度のウェブ５２の強度や歯形精度を満足し得るものではなかった。
【００１２】
そこで、本発明は、ピンポイントゲートを使用して射出成形樹脂歯車（射出成形樹脂回転体）を成形する場合においても、ウェルドラインの発生を効果的に抑え、ウェブ内における強化繊維入り樹脂の配向性を全周に渡って揃え、樹脂の流れがリムに到達する前に、径方向の樹脂の流動速度を均一化して、ウェブの強度を高強度化すると共に、成形精度を高精度化することを目的とする。
【００１３】
【課題を解決するための手段】
請求項１の発明は、外周に歯が形成されるリムと、軸に嵌合される軸支持部と、これらリムと軸支持部を径方向に接続するウェブとを備えており、前記ウェブの一方の側面側に対向するように配置されたピンポイントゲートから射出される強化繊維入りの樹脂で形成された射出成形樹脂歯車に関するものである。そして、前記ウェブの一方の側面のうちで、前記ピンポイントゲートが配置される近傍の位置には、前記ピンポイントゲートから射出された前記強化繊維入りの樹脂の径方向への流れを絞って邪魔をし、前記ピンポイントゲートから射出された前記強化繊維入りの樹脂の流れの径方向への移動速度を前記ピンポイントゲートと前記リムの間で均一化する樹脂流動速度調整溝が形成されている。また、前記樹脂流動速度調整溝は、前記ピンポイントゲートから径方向に向かう位置に配置されて前記強化繊維入りの樹脂の流れを最も大きく絞る第１溝部と、この第１溝部から溝深さを漸減するように周方向に延びる一対の第２溝部と、からなっている。
【００１４】
また、請求項２の発明は、請求項１に記載の発明において、前記ピンポイントゲートが前記ウェブの周方向に沿って複数箇所に配置され、前記ピンポイントゲートのそれぞれに対応するように前記樹脂流動速度調整溝が形成され、隣り合うピンポイントゲートの少なくとも周方向中間位置において、前記樹脂流動速度調整溝が切り上がるように構成されたことを特徴としている。
【００１５】
また、請求項３の発明は、請求項２に記載の発明の次のような点に特徴を有するものである。すなわち、前記軸支持部と前記リムとの間の前記ウェブには、前記ピンポイントゲート、前記樹脂流動速度調整溝、環状溝の順で径方向内方から外方へ向かって形成されている。そして、前記環状溝は、前記リムよりも径方向内方に離れて位置し、前記リムと同心円状に連続して形成されている。
【００１６】
また、請求項４の発明は、請求項３の発明において、前記ピンポイントゲートの径方向内方側の位置に、前記環状溝とは別の環状溝を形成し、前記ピンポイントゲートを前記樹脂流動速度調整溝と前記別の環状溝で径方向に挟むようにしたことを特徴としている。
【００１７】
また、請求項５の発明は、径方向外方の筒状部と、軸に嵌合される軸支持部と、これら筒状部と軸支持部を径方向に接続する円板状部とを備え、前記円板状部の一方の側面側に対向するように配置されたピンポイントゲートから射出される強化繊維入りの樹脂で形成された射出成形樹脂回転体に関するものである。そして、前記円板状部の一方の側面のうちで、前記ピンポイントゲートが配置される近傍の位置には、前記ピンポイントゲートから射出された前記強化繊維入りの樹脂の径方向への流れを絞って邪魔をし、前記ピンポイントゲートから射出された前記強化繊維入りの樹脂の流れの径方向への移動速度を前記ピンポイントゲートと前記リムの間で均一化する樹脂流動速度調整溝が形成されている。また、前記樹脂流動速度調整溝は、前記ピンポイントゲートから径方向に向かう位置に配置されて前記強化繊維位置の樹脂の流れを最も大きく絞る第１溝部と、この第１溝部から溝深さを漸減するように周方向に延びる一対の第２溝部と、からなっている。
【００１８】
また、請求項６の発明は、請求項５に記載の発明において、前記ピンポイントゲートが前記円板状部の周方向に沿って複数箇所に配置され、前記ピンポイントゲートのそれぞれに対応するように前記樹脂流動速度調整溝が形成され、隣り合うピンポイントゲートの少なくとも周方向中間位置において、前記樹脂流動速度調整溝が切り上がるように構成されたことを特徴としている。
【００１９】
また、請求項７の発明は、請求項６の発明において、次のような特徴を有している。すなわち、前記軸支持部と前記リムとの間の前記円板状部には、前記ピンポイントゲート、前記樹脂流動速度調整溝、環状溝の順で径方向内方から外方へ向かって形成されている。そして、前記環状溝が前記リムと同心円状に一定の深さで連続して形成されている。
【００２０】
また、請求項８の発明は、請求項７に記載の発明において、前記ピンポイントゲートの径方向内方側の位置に、前記環状溝とは別の環状溝を形成し、前記ピンポイントゲートを前記樹脂流動速度調整溝と前記別の環状溝で径方向に挟むようにしたことを特徴としている。
【００２１】
【発明の実施の形態】
以下、本発明の実施の形態を図面に基づき詳述する。
【００２２】
［第１の実施の形態］
（射出成形樹脂歯車の形状）
図１〜図３は、本発明の実施の形態に係る射出成形樹脂歯車１を示すものである。このうち、図１は、射出成形樹脂歯車１の縦断面図（図２のＡ−Ａ線に沿って切断して示す断面図）であり、図２は、図１の射出成形樹脂歯車１の左側面図（Ｘ方向から見た図）である。また、図３は、図２の射出成形樹脂歯車１のＢ−Ｂ線に沿って切断して示す樹脂流動速度調整溝の拡大断面図である。尚、図１において、点線で示す斜線部は射出成形樹脂歯車１を成形するためのキャビティ２の概略を表している。
【００２３】
これらの図に示す射出成形樹脂歯車１は、例えば、ポリアセタール，ポリアミド，ポリフェニレンスルフィド，ポリブチレンテレフタレート等の樹脂材料に強化繊維（ガラス繊維又は炭素繊維等）を配合した樹脂を射出成形してなるものである。
【００２４】
この射出成形樹脂歯車１は、軸３に嵌合される軸穴４を中心部に有する略筒状の軸支持部５と、この軸支持部５の軸方向一端側から半径方向外方に向かって延びる略円板状のウェブ６と、このウェブ６の外周端に形成された略円環状のリム７と、を備えている。そして、この射出成形樹脂歯車１のリム７の外周には、使用目的に合致した歯形形状の歯８が形成されている。
【００２５】
軸支持部５とリム７を径方向に接続するウェブ６の側面（図１の左側面）６ａには、軸支持部５と同心円状に、略円環状の内側周方向溝（別の環状溝）１０，樹脂流動速度調整溝１１及び略円環状の外側周方向溝（環状溝）１２が順に形成されるようになっている。
【００２６】
樹脂流動速度調整溝１１は、ウェブ６の周方向に６箇所等間隔に配置されるピンポイントゲート１３の径方向外方位置に、ピンポイントゲート１３に対応するように６箇所等間隔に形成されている。この樹脂流動速度調整溝１１は、ピンポイントゲート１３の近傍位置において最も深く形成された第１溝部１４と、この第１溝部１４から溝深さを漸減するように周方向に延びる一対の第２溝部１５，１５と、からなっている。すなわち、樹脂流動速度調整溝１１は、第１溝部１４を中心にして、その第１溝部１４の両側にそれぞれ第２溝部１５，１５が形成されている。そして、この樹脂流動速度調整溝１１の第１溝部１４は、ピンポイントゲート１３から径方向外方へ延びる直線Ｌ１上に位置するようになっている。また、第２溝部１５，１５は、その切り上がり位置が隣り合う樹脂流動速度調整溝１１の第２溝部１５から離間した位置となるように形成されている。尚、この隣り合う樹脂流動速度調整溝１１の間隔（樹脂流動速度調整溝１１が形成されていない部分）は、強化繊維の配向性や樹脂の流動速度等を考慮して適宜変更できる。
【００２７】
この樹脂流動速度調整溝１１は、ピンポイントゲート１３に最も近い部分が第１溝部１４であり、この第１溝部１４によって最も顕著に樹脂の流れが絞られ、樹脂の流れの速度が低下させられる。また、樹脂流動速度調整溝１１の第２溝部１５，１５は、ピンポイントゲート１３から周方向に離れるにしたがって溝深さが漸減するため、樹脂の流れの絞りの程度がピンポイントゲート１３から離れるにしたがって減少するようになっており、樹脂の流れの速度を低下させる率がピンポイントゲート１３から離れるにしたがって漸減するようになっている。これにより、ピンポイントゲート１３から射出された樹脂は、図６に示すように、樹脂流動速度調整溝１１よりも径方向外方位置であって、外側周方向溝１２に到達するまでの位置において、径方向への流動速度が大略均一化する。そして、隣り合うピンポイントゲート１３から射出された樹脂が合流する箇所（隣り合うピンポイントゲート１３，１３の中間位置）における樹脂の流動速度は、樹脂流動速度調整溝１１を通過した後の樹脂の流動速度とほぼ同様の大きさとなり、樹脂内の強化繊維の配向もほぼ揃うようになる。
【００２８】
尚、樹脂流動速度調整溝１１は、図３に示すように、同一の溝深さの第１溝部１４と、この第１溝部１４の端部から離れるにしたがって溝深さを漸減する第２溝部１５，１５とからなり、第２溝部１５の端部が側面６ａに直交するように起立している。そして、第１溝部１４の底面が側面６ａと平行の平面であり、第２溝部１５の底面が傾斜面である。しかし、樹脂流動速度調整溝１１は、この図３に示す態様に限定されるものではなく、図４や図５に示すような態様にしてもよい。すなわち、図４に示す樹脂流動速度調整溝１１は、図３に示した樹脂流動速度調整溝１１の第２溝部１５を側面６ａまでそのまま延ばした形状であって、断面形状が等脚台形を上下逆転したような形状を呈している。また、図５に示す樹脂流動速度調整溝１１は、溝の長手方向（図５の左右方向）の略中央が最も溝深さが深い断面略円弧形状を呈しており、溝深さが最も深い部分が図４に示す第１溝部１４に相当し、その第１溝部１４から溝深さを漸減するように円弧状に切り上がる部分が図４に示す第２溝部１５，１５に相当する。
【００２９】
その後、ピンポイントゲート１３から射出された樹脂が外側周方向溝１２を通過する際に、樹脂の流れが周方向全域に渡り均一に絞られることになり、この外側周方向溝１２を通過することにより、径方向外方へ向かう樹脂の流れの速度がより一層均一化する。
【００３０】
また、ピンポイントゲート１１から射出された樹脂が内側周方向溝１０を通過する際に、樹脂の流れが周方向全域に渡り均一に絞られることになり、ピンポイントゲート１３から径方向内方へ向かう流れの速度の均一化が図られる。
【００３１】
外側周方向溝１２及び内側周方向溝１０は、本実施の形態においては溝幅が樹脂流動速度調整溝１１とほぼ同一の寸法に形成され、また溝深さが樹脂流動速度調整溝１１の第１溝部１４の溝深さと同一の寸法に形成されている。このうち外側周方向溝１２は、ピンポイントゲート１３から径方向外方に向かう樹脂の流れを樹脂流動速度調整溝１１の外側で、且つ、リム７よりも十分に径方向内方よりの位置において絞り、径方向外方へ向かう樹脂の流れを揃えて、径方向外方へ向かう樹脂の流動速度の均一化を図る機能を有している。また、内側周方向溝１０は、ピンポイントゲート１３から径方向内方へ向かう樹脂の流れを絞り、径方向内方へ向かう樹脂の流れを揃えて、径方向内方へ向かう樹脂の流動速度の均一化を図る機能を有している。
【００３２】
尚、これら外側周方向溝１２と内側周方向溝１０は、歯車の形状等に応じてキャビティ２内に射出される樹脂の流れの状態が異なるので、実際の樹脂の流れに応じて、その溝幅及び溝深さを樹脂流動速度調整溝１１の溝幅及び溝深さとは異なる寸法にしてもよい。また、外側周方向溝１２と内側周方向溝１０は、その周方向位置に応じて、適宜、溝幅や溝深さを変化させるようにしてもよい。すなわち、ピンポイントゲート１３から射出された樹脂の径方向への流れの速度に差があると、樹脂のキャビティ２内での充填速度が不均一になり、溶融樹脂の冷却速度に差が生じ、真円度が悪くなって、歯形が高精度で形成されなくなるため、外側周方向溝１２や内側周方向溝１０の溝幅や溝深さを適宜に変化させて、樹脂の径方向への流動速度の均一化を図ることが好ましい。
【００３３】
（射出成形樹脂歯車の成形状態の概略説明）
このような構成の本実施の形態によれば、図６及び図７に示すように、射出成形樹脂歯車１を形成するためのキャビティ２内に開口するピンポイントゲート１３から射出された樹脂は、キャビティ２内の空間をほぼ放射状に流動した後、径方向に流動することになるが、ピンポイントゲート１３から径方向と直交する方向寄りに流動する樹脂の流れが隣り合うピンポイントゲート１３との周方向中間位置において、隣り合うピンポイントゲート１３から射出された樹脂と合流し、その合流部において径方向外方又は径方向内方へ向かって流動することになる。このピンポイントゲート１３からキャビティ２内に射出された樹脂は、射出成形樹脂歯車１の回転中心ＣＬからピンポイントゲート１３を結ぶ径方向の直線Ｌ１方向の速度成分が大きいほど速くなるため、ピンポイントゲート１３から周方向に離れるにしたがって、直線Ｌ１方向の速度成分が小さくなって遅くなる。
【００３４】
しかしながら、本実施の形態によれば、直線Ｌ１方向の速度成分が大きい樹脂の流れは、樹脂流動速度調整溝１１を形成するためにキャビティ２内に突出させた樹脂流動速度調整溝用突起１６の第１溝部用突起部分で大きく絞られ、直線Ｌ１方向への流動速度が遅くなる。また、ピンポイントゲート１３から遠くなるにしたがって直線Ｌ１方向の速度成分が小さくなっている樹脂の流れは、樹脂流動速度調整溝用突起１６の第２溝部用突起部分がピンポイントゲート１３から離れるにしたがって突起高さを漸減させるようになっているため、第２溝部用突起部分によって絞られる程度が漸減する。また、隣り合うピンポイントゲート１３から射出された樹脂が合流する部分においては、樹脂流動速度調整溝用突起１６が形成されていないため、樹脂の流れが隣り合う樹脂流動速度調整溝用突起１６によって円滑に誘導される。
【００３５】
その結果、ピンポイントゲート１３からキャビティ２内に射出された樹脂は、その径方向外方への流動速度が樹脂流動速度調整溝用突起１６によってコントロールされることになり、その径方向外方への流動速度が揃い、径方向外方へ向かう流れの速度が均一化する。また、隣り合うピンポイントゲート１３，１３間の樹脂の合流部においては、隣り合う流動速度調整溝用突起１６，１６によって樹脂の流れが円滑に径方向に案内され、樹脂の流れが整流されるため、ウェルドラインが早期に（合流後まもなく）消滅し（メルド化し）、強化繊維の配向性が周方向の他部に近い状態になり、樹脂流動速度調整溝用突起１６（樹脂流動速度調整溝１１）がウェブ６の径方向内方位置にない場合（例えば、特許文献２の従来技術）に比較して、ウェブ６の引っ張り強度が向上する。
【００３６】
キャビティ２内を樹脂流動速度調整溝用突起１６よりも径方向外方に到達した樹脂の流れは、円環状の外側周方向溝用突起１７により周方向の各位置で均一に絞られるため、周方向の各位置における樹脂の流動速度に多少のばらつきがあったとしても（樹脂流動速度調整溝用突起１６のみでは樹脂の流動速度の均一化が不十分であったとしても）、この外側周方向溝用突起１７を通過することにより周方向の各位置における流動速度の差が小さくなって、リム７に到達する前のウェブ６内において十分に流動速度が均一化する。
【００３７】
また、ピンポイントゲート１３からキャビティ２内に射出されて径方向内方へ向かう樹脂は、軸支持部５よりも径方向外方に位置する円環状の内側周方向溝用突起１８によって絞られるため、周方向の各位置における流動速度の差が小さく抑えられ、ピンポイントゲートの径方向内方側に内側周方向溝１０を形成しない樹脂歯車を射出成形する場合に比較し、流れの速度が周方向の全域に渡って均質化する。
【００３８】
以上のようにして成形された射出成形樹脂歯車１は、金型のキャビティ２で冷却された後、キャビティ２の内部から取り出されることになるが、この金型からの離型時において、ピンポイントゲート１３が側面６ａから切り離されることになる。しかしながら、ピンポイントゲート１３を切り離すことにより、射出成形樹脂歯車１の側面６ａに残る切り離し痕が機械加工を施す必要がないほど綺麗であるため、リング状ゲートで射出成形する場合に比較して、ゲートの切り離し痕を機械加工する必要がない分、生産効率を高めることができ、生産コストを低減できて、安価な射出成形樹脂歯車を提供できる。また、本実施の形態の射出成形樹脂歯車１は、ピンポイントゲート１３を使用して射出成形するため、リング状ゲートを使用して射出成形する場合に比較して、高価な強化繊維入り樹脂の歩留まりを良くすることができ、この点においても製品価格の低廉化を図ることが可能になる。
【００３９】
（実施の形態の効果）
以上のように、本実施の形態の射出成形樹脂歯車１は、ピンポイントゲート１３から射出された樹脂がキャビティ２内を径方向外方へ向かって流動する際に、樹脂流動速度調整溝１１の部分（樹脂流動速度調整溝用突起１６）によって樹脂の流動速度が均一化され、この樹脂流動速度調整溝１１の部分を通過した樹脂が外周側周方向溝１２の部分（外側周方向溝用突起１７）を通過する際に更に流動速度の均一化が図られるため、外周側に歯８が形成されるリム７に到達する前のウェブ６内において樹脂の流動速度が均一化される。その結果、本実施の形態の射出成形樹脂歯車１は、リム７及び歯８の冷却速度が均一化し、リム７及び歯８の冷却時における収縮量が周方向において均一化して、真円度等の歯車精度が向上するため、高精度の動力伝達が可能になる。
【００４０】
また、本実施の形態の射出成形樹脂歯車１は、ピンポイントゲート１３からキャビティ２内に射出された樹脂の径方向内方への流れの速度が、内側周方向溝１０の部分（内側周方向溝用突起１８）によって均一化されるため、キャビティ２内の軸支持部５に対応する部分に充填される樹脂の速度が均一化し、軸支持部５の冷却速度が均一化して、形状精度のよい軸支持部５が形成される。すなわち、本実施の形態の射出成形樹脂歯車１は、軸３に嵌合される軸支持部５の形状精度が良く、且つ、歯８の形状精度がよいため、単に歯の高精度化を図る場合に比較して、歯車精度をより一層高精度することができる。
【００４１】
また、本実施の形態の射出成形樹脂歯車１は、隣り合うピンポイントゲート１３，１３間の樹脂の合流部においては、隣り合う樹脂流動速度調整溝１１，１１によって樹脂の流れが円滑に径方向に案内され、樹脂の流れが整流されるため、ウェルドラインが早期に（合流後まもなく）消滅し（メルド化し）、強化繊維の配向性が周方向の他部に近い状態になり、ウェブ６の引っ張り強度が向上する。
【００４２】
尚、本実施の形態において、内側周方向溝１０、樹脂流動速度調整溝１１，外側周方向溝１２のそれぞれをウェブ６の径方向に一箇所形成するようになっているが、これに限られず、必要に応じて、それぞれを適宜ウェブ６の径方向に複数箇所形成するようにしてもよい。
【００４３】
［第２の実施の形態］
図８及び図９に示すように、射出成形樹脂歯車１は、内側周方向溝１０を形成しなくても、要求される軸支持部５の精度を確保できる場合、内側周方向溝１０を省略し、樹脂流動速度調整溝１１及び外側周方向溝１２のみを形成するようにしてもよい。
【００４４】
［第３の実施の形態］
図１０及び図１１に示すように、射出成形樹脂歯車１は、樹脂流動速度調整溝１１によって径方向外方へ向かう樹脂の流動速度を十分に均一化することができ、且つ、内側周方向溝１０を形成しなくても、要求される軸支持部５の精度を確保できる場合、内側周方向溝１０及び外側周方向溝１２を省略し、樹脂流動速度調整溝１１のみを形成するようにしてもよい。
【００４５】
［第４の実施の形態］
図１２に示すように、射出成形樹脂歯車１は、内側周方向溝１０に変えて、樹脂流動速度調整溝１１と同様の内側樹脂流動速度調整溝１１Ａを形成してもよい。すなわち、内側樹脂流動速度調整溝１１Ａは、ピンポイントゲート１３の径方向外側に形成される樹脂流動速度調整溝１１と同様の構造になっており、ピンポイントゲート１３の近傍において最も溝深さが深い第１溝部１４Ａが形成され、この第１溝部１４Ａの周方向両側位置にピンポイントゲート１３から遠ざかるにしたがって溝深さを漸減する第２溝部１５Ａ，１５Ａがそれぞれ形成されている。
【００４６】
［第５の実施の形態］
射出成形樹脂歯車１は、図１に示すような、ウェブ６がリム７の幅方向の一端側に形成される態様に限定されるものでなく、図１３に示すように、ウェブ６がリム７の幅方向略中央部に形成される態様にも適用できる。また、射出成形樹脂歯車１は、図１４に示すように、ウェブ６の両側面にほぼ対称に内側周方向溝１０，樹脂流動速度調整溝１１及び外側周方向溝１２を形成してもよい。尚、図１４において、ウェブ６の一方の側面６ｂ側の内側周方向溝１０，樹脂流動速度調整溝１１及び外側周方向溝１２をウェブ６の他方の側面６ａ側の内側周方向溝１０，樹脂流動速度調整溝１１及び外側周方向溝１２に対して径方向にずらして形成するようにしてもよい。
【００４７】
［第６の実施の形態］
また、射出成形樹脂歯車１として、図１５に示すものは、ウェブ６の一方の側面６ｂ側から軸方向に突出する筒状の軸支持部５の外周に、小径の第２の歯２０が加工されており、リム７の外周側に大径の第１の歯８が形成されている。そして、ウェブ６の他方の側面６ａには、径方向内方から外方に向かって内側周方向溝１０，樹脂流動速度調整溝１１及び外側周方向溝１２が順に形成されるようにしてもよい。
【００４８】
［第７の実施の形態］
また、射出成形樹脂歯車１として、図１６に示すものは、樹脂流動速度調整溝１１の第２溝部１５の切り上がり端部が隣り合う他の樹脂流動速度調整溝１１の第２溝部１５の切り上がり端部と一致するように形成されたものであり、本実施の形態のように樹脂流動速度調整溝１１の形成領域を拡げてもよい。
【００４９】
［第８の実施の形態］
本発明の第１の実施の形態は、ピンポイントゲート１３を周方向に等間隔に６箇所形成する態様を例示したが、これに限られず、歯車の外形寸法等に応じて、最適な個数のピンポイントゲート１３を配置するようにしてもよい。
【００５０】
［第９の実施の形態］
本発明の第１の実施の形態は、ピンポイントゲート１３の径方向外方に樹脂流動速度調整溝１１を形成する態様を例示したが、これに限られず、最も形状精度を必要とする箇所とピンポイントゲート１３との間に樹脂流動速度調整溝が位置するようにするのが好ましい。
【００５１】
［第１０の実施の形態］
本発明は、上述の各実施の形態のような射出成形樹脂回転体としての射出成形樹脂歯車に適用できることはもちろんのこと、上述のような射出成形樹脂歯車１に限定されるものではなく、径方向外方の筒状部と、軸に嵌合される軸支持部と、これら筒状部と軸支持部を径方向に接続する円板状部と、を備えた射出成形樹脂スプロケット、射出成形樹脂プーリ、射出成形樹脂ローラ等の射出成形樹脂回転体にも広く適用することができる。
【００５２】
【発明の効果】
以上のように、本発明によれば、ピンポイントゲートを使用して射出成形樹脂歯車（射出成形樹脂回転体）を成形する場合においても、ウェルドラインの発生を効果的に抑え、ウェブ内における強化繊維入り樹脂の配向性を全周に渡って揃えて、樹脂の流れがリムに到達する前に、径方向の樹脂の流動速度を均一化して、ウェブの強度を高強度化すると共に、射出成形時における冷却速度を均一化して収縮差を抑えて、成形精度を高精度化することができる。
【図面の簡単な説明】
【図１】本発明の第１の実施の形態に係る射出成形樹脂歯車の縦断面図（図２のＡ−Ａ線に沿って切断して示す断面図）である。
【図２】図１の射出成形樹脂歯車の左側面図（図１のＸ方向から見た図）である。
【図３】図２のＢ−Ｂ線に沿って切断して示す拡大断面図であり、樹脂流動速度調整溝の第１例を示す拡大断面図である。
【図４】図３に対応する拡大断面図であり、樹脂流動速度調整溝の第２例を示す拡大断面図である。
【図５】図３に対応する拡大断面図であり、樹脂流動速度調整溝の第３例を示す拡大断面図である。
【図６】樹脂の流れ状態を説明するために、射出成形樹脂歯車の左側面図の一部を拡大して示す図である。
【図７】本発明の第１の実施の形態に係る射出成形樹脂歯車を成形するためのキャビティの模式的断面図である。
【図８】本発明の第２の実施の形態に係る射出成形樹脂歯車の縦断面図（図９のＣ−Ｃ線に沿って切断して示す図）である。
【図９】図８の射出成形樹脂歯車の左側面図である。
【図１０】本発明の第３の実施の形態に係る射出成形樹脂歯車の縦断面図（図９のＣ−Ｃ線に沿って切断して示す図）である。
【図１１】図１０の射出成形樹脂歯車の左側面図である。
【図１２】本発明の第４の実施の形態に係る射出成形樹脂歯車の左側面図である。
【図１３】本発明の第５の実施の形態に係る射出成形樹脂歯車の第１例を示す縦断面図である。
【図１４】本発明の第５の実施の形態に係る射出成形樹脂歯車の第２例を示す縦断面図である。
【図１５】本発明の第６の実施の形態に係る射出成形樹脂歯車の縦断面図である。
【図１６】本発明の第７の実施の形態に係る射出成形樹脂歯車の左側面図である。
【図１７】第１の従来例を示す射出成形樹脂歯車の縦断面図（図１８のＥ−Ｅ線に沿って切断して示す断面図）である。
【図１８】第１の従来例を示す射出成形樹脂歯車の左側面図である。
【図１９】第２の従来例を示す射出成形樹脂歯車の左側面図である。
【図２０】第３の従来例を示す射出成形樹脂歯車の左側面図である。
【図２１】第４の従来例を示す射出成形樹脂歯車の左側面図である。
【図２２】図２１のＦ−Ｆ線に沿って切断して示す断面図である。
【符号の説明】
１……射出成形樹脂歯車（射出成形樹脂回転体）、３……軸、５……軸支持部、６……ウェブ（円板状部）、６ａ……側面、７……リム（筒状部）、８……歯、１０……内側周方向溝（別の環状溝）、１１……樹脂流動速度調整溝、１２……外側周方向溝（環状溝）、１３……ピンポイントゲート、１４……第１溝部、１５……第２溝部
【図１】
2004358665.tif 000003
【図２】
2004358665.tif 000004
【図３】
2004358665.tif 000005
【図４】
2004358665.tif 000006
【図５】
2004358665.tif 000007
【図６】
2004358665.tif 000008
【図７】
2004358665.tif 000009
【図８】
2004358665.tif 000010
【図９】
2004358665.tif 000011
【図１０】
2004358665.tif 000012
【図１１】
2004358665.tif 000013
【図１２】
2004358665.tif 000014
【図１３】
2004358665.tif 000015
【図１４】
2004358665.tif 000016
【図１５】
2004358665.tif 000017
【図１６】
2004358665.tif 000018
【図１７】
2004358665.tif 000019
【図１８】
2004358665.tif 000020
【図１９】
2004358665.tif 000021
【図２０】
2004358665.tif 000022
【図２１】
2004358665.tif 000023
【図２２】
2004358665.tif 000024